(57)【要約】【課題】印刷指示があった印刷対象の印刷データから見積もり値を算出するものと比較して、見積もりの精度を向上させることができる課金制御装置、画像形成システム及びプログラムを提供する。【解決手段】課金制御装置２０は、過去に印刷した印刷対象の課金実績値を記憶する記憶手段３４と、前記記憶手段３４に記憶された印刷対象と同一性がある印刷対象に印刷指示があった場合、前記記憶手段３４に記憶された課金実績値を見積もり値とする見積もり手段４０と、を有する。【選択図】図３
2020028976.tif 000002
【特許請求の範囲】
【請求項１】
過去に印刷した印刷対象の課金実績値を記憶する記憶手段と、
前記記憶手段に記憶された印刷対象と同一性がある印刷対象に印刷指示があった場合、前記記憶手段に記憶された課金実績値を見積もり値とする見積もり手段と、
を有する課金制御装置。
【請求項２】
前記記憶手段に記憶された印刷対象と同一性がある印刷対象があるか否かを判定する判定手段をさらに有し、前記判定手段により同一性がある印刷対象があると判定された場合、同一性がある印刷対象の課金実績値を見積もり値とする請求項１記載の課金制御装置。
【請求項３】
前記見積もり手段は、前記判定手段により同一性がある印刷対象がないと判定された場合、印刷指示があった印刷データから見積もり値を算出する請求項２記載の課金制御装置。
【請求項４】
前記判定手段は、前記記憶手段に記憶された印刷対象の特性と、印刷指示があった印刷対象の特性とを比較することにより同一性を判定する請求項２又は３記載の課金制御装置。
【請求項５】
前記判定手段は、前記記憶手段に記憶された印刷対象の名称と、印刷指示があった印刷対象の名称とが一致している場合に同一性ありと判定する請求項４記載の課金制御装置。
【請求項６】
前記判定手段は、前記記憶手段に記憶された印刷対象の名称と、印刷指示があった印刷対象の名称とが一致していない場合に同一性なしと判定する請求項４記載の課金制御装置。
【請求項７】
前記判定手段は、前記記憶手段に記憶された印刷対象の容量と、印刷指示があった印刷対象の容量との割合が予め定められた値以下の場合に同一性ありと判定する請求項４又は５記載の課金制御装置。
【請求項８】
前記判定手段は、前記記憶手段に記憶された印刷対象の容量と、印刷指示があった印刷対象の容量との割合が予め定められた値を越えている場合に同一性なしと判定する請求項４又は６記載の課金制御装置。
【請求項９】
前記記憶手段に記憶された課金実績値を見積もり値とするか、又は印刷指示があった印刷データから見積もり値を算出するかを選択する選択手段をさらに有する請求項１記載の課金制御装置。
【請求項１０】
記録媒体に画像を印刷する画像形成装置と、
前記画像形成装置による印刷に対して課金を制御する課金制御装置と、を有し、
前記課金制御装置は、
過去に前記画像形成装置により印刷した印刷対象の課金実績値を記憶する記憶手段と、
前記記憶手段に記憶された印刷対象と同一性がある印刷対象に印刷指示があった場合、前記記憶手段に記憶された課金実績値を見積もり値とする見積もり手段と、
を有する画像形成システム。
【請求項１１】
過去に印刷した印刷対象の課金実績値を記憶するステップと、
記憶された印刷対象と同一性がある印刷対象に印刷指示があった場合、記憶された課金実績値を見積もり値とするステップと、
を有するコンピュータに実行させるためのプログラム。
【発明の詳細な説明】
【技術分野】
【０００１】
本発明は、課金制御装置、画像形成システム及びプログラムに関する。
【背景技術】
【０００２】
特許文献１は、マルチファンクション機能を有するサービス提供装置において複数のジョブの組み合わせからなるマルチジョブを行なう際に課金される料金を事前に見積もる課金見積もりシステムであって、ジョブの動作内容を記述した指示書を登録し記憶する指示書記憶手段と、指示書に記述された各ジョブの動作内容を解釈する指示書解釈手段と、指示書を解釈して得られた動作内容に従って前記サービス提供装置における各ジョブの実行を制御するジョブ実行制御手段と、ジョブを実行したときのパラメータ設定状況及び課金された料金を含む履歴データを各ジョブ単位で作成し記憶するジョブ履歴データ保存手段と、指示書に記述されているジョブのパラメータ設定状況に類似する履歴データの料金を見積もりデータとして選択し、ジョブ毎に選択された見積もりデータを合算してマルチジョブの見積もりデータとして出力する見積もりデータ計算手段と、マルチジョブの見積もりデータをユーザに通知する見積もりデータ通知手段と、を具備することを特徴とする課金見積もりシステムを開示する。
【先行技術文献】
【特許文献】
【０００３】
【特許文献１】特開２００７−５８４６１号公報
【発明の概要】
【発明が解決しようとする課題】
【０００４】
本発明は、印刷指示があった印刷対象の印刷データから見積もり値を算出するものと比較して、見積もりの精度を向上させることができる課金制御装置、画像形成システム及びプログラムを提供することを目的としている。
【課題を解決するための手段】
【０００５】
請求項１に係る本発明は、過去に印刷した印刷対象の課金実績値を記憶する記憶手段と、前記記憶手段に記憶された印刷対象と同一性がある印刷対象に印刷指示があった場合、前記記憶手段に記憶された課金実績値を見積もり値とする見積もり手段と、を有する課金制御装置である。
ここで、同一性とは、印刷対象が同一であると判断できる程度に類似していることをいい、後述するように、印刷対象の特性から判定する。例えば印刷対象の名称が同一である場合、印刷対象の容量が予め定められた割合以下である場合等である。
【０００６】
請求項２に係る本発明は、前記記憶手段に記憶された印刷対象と同一性がある印刷対象があるか否かを判定する判定手段をさらに有し、前記判定手段により同一性がある印刷対象があると判定された場合、同一性がある印刷対象の課金実績値を見積もり値とする請求項１記載の課金制御装置である。
【０００７】
請求項３に係る本発明は、前記見積もり手段は、前記判定手段により同一性がある印刷対象がないと判定された場合、印刷指示があった印刷データから見積もり値を算出する請求項２記載の課金制御装置である。
【０００８】
請求項４に係る本発明は、前記判定手段は、前記記憶手段に記憶された印刷対象の特性と、印刷指示があった印刷対象の特性とを比較することにより同一性を判定する請求項２又は３記載の課金制御装置である。
【０００９】
請求項５に係る本発明は、前記判定手段は、前記記憶手段に記憶された印刷対象の名称と、印刷指示があった印刷対象の名称とが一致している場合に同一性ありと判定する請求項４記載の課金制御装置である。
【００１０】
請求項６に係る本発明は、前記判定手段は、前記記憶手段に記憶された印刷対象の名称と、印刷指示があった印刷対象の名称とが一致していない場合に同一性なしと判定する請求項４記載の課金制御装置である。
【００１１】
請求項７に係る本発明は、前記判定手段は、前記記憶手段に記憶された印刷対象の容量と、印刷指示があった印刷対象の容量との割合が予め定められた値以下の場合に同一性ありと判定する請求項４又は５記載の課金制御装置である。
【００１２】
請求項８に係る本発明は、前記判定手段は、前記記憶手段に記憶された印刷対象の容量と、印刷指示があった印刷対象の容量との割合が予め定められた値を越えている場合に同一性なしと判定する請求項４又は６記載の課金制御装置ある。
【００１３】
請求項９に係る本発明は、前記記憶手段に記憶された課金実績値を見積もり値とするか、又は印刷指示があった印刷データから見積もり値を算出するかを選択する選択手段をさらに有する請求項１記載の課金制御装置である。
【００１４】
請求項１０に係る本発明は、記録媒体に画像を印刷する画像形成装置と、前記画像形成装置による印刷に対して課金を制御する課金制御装置と、を有し、前記課金制御装置は、過去に前記画像形成装置により印刷した印刷対象の課金実績値を記憶する記憶手段と、前記記憶手段に記憶された印刷対象と同一性がある印刷対象に印刷指示があった場合、前記記憶手段に記憶された課金実績値を見積もり値とする見積もり手段と、を有する画像形成システムである。
【００１５】
請求項１１に係る本発明は、過去に印刷した印刷対象の課金実績値を記憶するステップと、記憶された印刷対象と同一性がある印刷対象に印刷指示があった場合、記憶された課金実績値を見積もり値とするステップと、を有するコンピュータに実行させるためのプログラムである。
【発明の効果】
【００１６】
請求項１、１０又は１１に係る本発明によれば、印刷指示があった印刷対象の印刷データから見積もり値を算出するものと比較して、見積もりの精度を向上させることができる。
【００１７】
請求項２に係る本発明によれば、請求項１に係る本発明の効果に加えて、印刷対象同士が同一性を有するか判定することができる。
【００１８】
請求項３に係る本発明によれば、請求項２に係る本発明の効果に加えて、同一性がないと判定された場合にも見積もり値を出力することができる。
【００１９】
請求項４に係る本発明によれば、請求項２又は３に係る本発明の効果に加えて、印刷対象全体を比較するのと比べて、容易に同一性の判定を行うことができる。
【００２０】
請求項５〜８に係る本発明によれば、請求項４に係る発明の効果に加えて、さらに容易に同一性の判定を行うことができる。
【００２１】
請求項９に係る本発明によれば、請求項１に係る本発明の効果に加えて、ユーザが見積もり方法を選択することができる。
【図面の簡単な説明】
【００２２】
【図１】本発明の実施形態に係る画像形成システム全体を示すブロック図である。
【図２】本発明の実施形態に係る課金制御装置のハードウエアを示すブロック図である。
【図３】本発明の実施形態に係る課金制御装置の機能を示すブロック図である。
【図４】印刷履歴記憶部に記憶される印刷履歴を示す図表である。
【図５】本発明の実施形態に係る画像形成システムにおけるデータの流れを示す説明図である。
【図６】本発明の実施形態に係る課金制御装置において、印刷履歴を追加する場合の動作フローを示すフローチャートである。
【図７】本発明の実施形態に係る課金制御装置において、全体の動作フローを示すフローチャートである。
【図８】本発明の実施形態に係る課金制御装置において、見積もりを生成する場合の動作フローを示すフローチャートである。
【発明を実施するための形態】
【００２３】
次に、本発明の実施の形態について図面を参照して詳細に説明する。
図１は、本発明の実施形態に係る画像形成システム１０の全体を示す。
【００２４】
画像形成システム１０は、端末装置である複数のパーソナルコンピュータ１２，１２がネットワーク１４を介して接続されている。ネットワーク１４は、ローカルエリアネットワークでもよいし、インターネットでもよい。また、ネットワーク１４には、画像形成装置１６が接続されている。画像形成装置１６は、プリント機能、ファクシミリ機能、スキャン機能等を有する、いわゆる複合機である。また、この画像形成装置１６には課金装置であるコインキット１８が接続されている。
【００２５】
また、ネットワーク１４には、例えばサーバから構成された課金制御装置２０が接続されている。
【００２６】
課金制御装置２０は、画像形成装置１６によるサービスに対する課金を制御する。
この課金制御装置２０は、図２に示すように、ＣＰＵ２２、メモリ２４、記憶装置２６及びネットワークインターフェイス２８を有し、これらＣＰＵ２２、メモリ２４、記憶装置２６及びネットワークインターフェイス２８がバス３０を介して接続されている。
【００２７】
ＣＰＵ２２は、メモリ２４に格納された制御プログラムに基づいて予め定められた処理を実行する。記憶装置２６は、例えばハードディスクから構成され、必要とされるソフトウエアやデータが記憶されている。データには、後述する印刷履歴が含まれる。ネットワークインターフェイス２８は、前述したネットワーク１４を介してデータを入出力する。
【００２８】
図３は、課金制御装置２０の機能を示すブロック図である。
【００２９】
課金制御装置２０は、前述したネットワーク１４を介してジョブを受け付けるジョブ受付部３２を有する。ジョブとは、ユーザによって印刷サービス機能に実行依頼されて印刷される一連のデータであり、印刷対象ともいう。また、課金制御装置２０は、例えば前述した記憶装置２６の一部に構築された印刷履歴記憶部３４を有する。
【００３０】
印刷履歴記憶部３４は、図４に示すように、ジョブに付されているファイル名、ジョブのファイルサイズ（容量）及び実績値が記憶される。実績値は、後述するように、画像形成装置１６によりジョブが実際に印刷された場合に画像形成装置１６から送られてくる。
【００３１】
予測値算出部３６は、ジョブ受付部３２で受け付けられたジョブから課金のための予測値を算出する。予測値は、カラー白黒の枚数、用紙サイズ等から予測する。ただし、ページ記述言語（ＰＤＬ）で記述されたジョブにあっては、予測値は必ずしも実績値とはならない。例えば白黒ページと判定されたページが実際にはカラーページであったり、用紙サイズが異なることもある。画像形成装置１６によって印刷されるジョブへの課金は、カラー/白黒、サイズ等により異なるので、ジョブ全体の課金が異なることがある。
【００３２】
また、課金制御装置２０は、判定部３８を有する。この判定部３８は、ジョブ受付部３２で受け付けたジョブと同一性がある印刷履歴が印刷履歴記憶部３４に記憶されているか否かを判定する。見積もり部４０においては、ジョブジョブ受付部３２で受け付けたジョブと同一性がある印刷履歴があると判定部３８により判定された場合には、予測値算出部３６で算出した予測値に変えて印刷履歴登録部３４に登録されている実績値を見積もり値とする。ジョブジョブ受付部３２で受け付けたジョブと同一性がある印刷履歴がないと判定部３８により判定された場合には、予測値算出部３６で算出した予測値をそのまま見積もり値とする。
【００３３】
制御部４２は、見積もり部４０により見積もられた課金金額がアカウントから引き落とさせるか否かを判定し、引き落とせる場合はプリントＩＤを発行する。ここで、アカウントとは、サービスを利用することができるようにポイントを貯めておく口座であり、サービスに応じてポイントを減算するようになっている。また、プリントＩＤとは、受け付けたジョブに対する固有のコードデータである。プリントＩＤが画像形成装置１６に入力されると、プリントＩＤが制御部４２に通知されて印刷指示となり、制御部４２は、課金金額がアカウントから引き落とせる場合はファイルを画像形成装置１６へ転送する。課金金額がアカウントから引き落とせない場合は印刷不可とする。
【００３４】
図５は、画像形成システム１０におけるデータの流れを示す概念図である。
ユーザＡが課金制御装置２０にジョブａをアップロードすると、課金制御装置２０においては、見積もり値を算出し、ジョブを保留中とし、予測値をユーザのパーソナルコンピュータに表示させる。ユーザＡが画像形成装置１６にプリントＩＤを入力すると、ジョブの保留が解除されてジョブが画像形成装置１６へ転送される。画像形成装置１６はジョブを印刷し、また、実績値を課金制御装置２０に送り、課金制御装置２０においては印刷履歴を更新する。
【００３５】
次にユーザＢが課金制御装置２０に同じジョブｂをアップロードすると、ユーザＡの場合と同様にジョブが保留されるが、ジョブａのファイルとジョブｂのファイルが同一性を持つ場合は、予測値に変えて実績値が見積もり値として表示されるようになる。
【００３６】
図６は、課金制御装置２０において、印刷履歴を追加する場合の制御フローを示すフローチャートである。
【００３７】
まずステップＳ１０において、ジョブの印刷が完了したことを確認する。
次のステップＳ１２においては、実際の課金情報を取得する。
さらに次のステップＳ１４において、ファイル名、ファイルサイズ、課金実績値を、印刷履歴記憶部に記憶させて処理を終了する。
この場合、同じファイル名のファイルがある場合は、重複して記憶させる必要がない。
【００３８】
図７は、課金制御装置２０の全体の制御フローを示すフローチャートである。
まずステップＳ１６において、ジョブが受け付けられたか否かを判定する。このステップＳ１６によりジョブが受け付けられるまで待機し、ジョブが受け付けられたと判定された場合は次のステップＳ１８へ進む。
【００３９】
ステップＳ１８においては、見積もりを作成する。このステップＳ１８の処理については後に詳述する。
【００４０】
次のステップＳ２０においては、ステップＳ１８において作成された見積もり値がユーザのアカウントから減算することができるか否かを判定する。減算することができるか否かとは、見積もり値で減算した場合、マイナスにならないか否かを判定することを意味する。
【００４１】
このステップＳ２０において、ユーザのアカウントから減算することができると判定された場合は、ステップＳ２２に進む。このステップＳ２２においては、印刷可である旨を例えばユーザのパーソナルコンピュータに表示するように出力する。次のステップＳ２４においては、ユーザから画像形成装置１６を介して印刷指示があるか否かを判定する。このステップＳ２４において、ユーザからの印刷指示があるまで待機し、ユーザからの印刷指示があったと判定された場合は次のステップＳ２６へ進み、ファイルを画像形成装置１６へ転送し、処理を終了する。
【００４２】
一方、ステップＳ２０において、ユーザのアカウントから減算することができないと判定された場合は、ステップＳ２８へ進み、例えばユーザのパーソナルコンピュータに印刷不可である旨を表示するように出力する。
【００４３】
ただし、この場合は、ユーザのアカウントへの課金によっては印刷できないことを意味し、例えば前述したコインキット１８に現金を投入することにより印刷可能とすることができる。
【００４４】
図８は、上記ステップＳ１８である見積もり作成ステップの詳細を示すフローチャートである。
ステップＳ１８０において、受け付けたジョブからジョブの課金予測値を算出する。次のステップＳ１８２においては、ジョブ名、ファイルサイズから印刷履歴記憶部に同一性のある印刷履歴があるかを検索する。
【００４５】
次のステップＳ１８４においては、同一性のある印刷履歴があるか否かを判定する。このステップＳ１８４において、同一性がある印刷履歴があると判定された場合はステップＳ１８６に進み、印刷履歴から取得した実績値を利用して見積もり値とし、処理を終了する。
【００４６】
一方、ステップＳ１８４において、同一性のある印刷履歴がないと判定された場合は、ステップＳ１８８へ進み、元々の予測値を利用して見積もり値とし、処理を終了する。
【００４７】
同一性があるか否かの判定は、ファイル名が同一であり、且つファイルの容量の比が１％以下である場合に同一性があるとしている。しかしながら、ファイルの容量の比については、予め定められた値を基準にすればよく、また、ファイル名又は容量のいずれか一方から同一性を判定してもよい。
【００４８】
なお、上記実施形態においては、同一性の判定をファイル毎に行うようにしているが、本発明はこれに限定されず、ページ毎に行うようにしてもよい。印刷履歴記憶部には、ページ毎の容量を記憶しておき、例えば同じファイル名のファイルが記憶されている場合、ページ毎にページの容量を比較してページ毎に同一性を判定してもよい。この場合、同一性があるページについては印刷履歴記憶部に記憶されている実績値を用い、記憶されていないページについては予測値を用いるようにしてもよい。
【符号の説明】
【００４９】
１０    画像形成システム
１２    パーソナルコンピュータ
１４    ネットワーク
１６    画像形成装置
１８    コインキット
２０    課金制御装置
２２    ＣＰＵ
２４    メモリ
２６    記憶装置
２８    ネットワークインターフェイス
３０    バス
３２    ジョブ受付部
３４    印刷履歴記憶部
３６    予測値算出部
３８    判定部
４０    見積もり部
４２    制御部
４４    プリントＩＤ受付部
４６    制御部
４８    アカウント
５０    表示部
【図１】
2020028976.tif 000003
【図２】
2020028976.tif 000004
【図３】
2020028976.tif 000005
【図４】
2020028976.tif 000006
【図５】
2020028976.tif 000007
【図６】
2020028976.tif 000008
【図７】
2020028976.tif 000009
【図８】
2020028976.tif 000010